(57)【特許請求の範囲】
【請求項１】
送り主から預かった被運送物を届け先に届けると共に、送り主からの引受時から届け先への引渡時までの間、被運送物が未開封であったことを保証する運送方法であって、
送り主から被運送物を引き受ける際、送り主によって封印シールに記入される送り主付与情報を透光性材料により透視可能に形成した照合用シートに複写し、次いで、被運送物を前記封印シールで封止して届け先に搬送し、届け先に被運送物を引き渡す際、照合用シートを封印シールに重ねて、封印シールに記入された送り主付与情報と照合用シートに複写された送り主付与情報とを照合することにより、送り主によって送り主付与情報を記入された封印シールで被運送物が封止されたままであることを保証することを特徴とする運送方法。
【請求項２】
送り主から預かった被運送物を届け先に届けると共に、送り主からの引受時から届け先への引渡時までの間、被運送物が未開封であったことを保証する運送方法であって、
送り主から被運送物を引き受ける際、送り主控え票、届け先控え票及び運送管理票を複写可能に重ねてなる伝票に封印シール及び照合用シートを重ねて、送り主によって封印シールに記入される送り主付与情報を照合用シート及び伝票に複写し、次いで、被運送物を前記封印シールで封止して届け先に搬送し、届け先に被運送物を引き渡す際、照合用シートに複写された送り主付与情報と伝票に複写された送り主付与情報とを照合して照合用シートが差し替えられていないことを確認すると共に、封印シールに記入された送り主付与情報と照合用シートに複写された送り主付与情報とを照合することにより、送り主によって送り主付与情報を記入された封印シールで被運送物が封止されたままであることを保証することを特徴とする運送方法。
【請求項３】
伝票に付設された伝票固有情報により、伝票が差し替えられていないことを確認することを特徴とする請求項２に記載の運送方法。
【請求項４】
封印シールで封止した被運送物と照合用シートとを別々にして届け先に届けることを特徴とする請求項１〜３のいずれかに記載の運送方法。
【請求項５】
被運送物が未開封であることを保証するための運送用伝票であって、
送り主控え票、届け先控え票及び運送管理票を複写可能に重ねてなる伝票と、送り主付与情報を付設可能な封印シールと、該封印シールに付設されるものと同一の送り主付与情報を付設される照合用シートとが重ねられたことを特徴とする運送用伝票。
【請求項６】
前記伝票、封印シール及び照合用シートのうち、前記封印シールが最も上に重ねられ、封印シールに記入された送り主付与情報を照合用シートに複写可能とされたことを特徴とする請求項５に記載の運送用伝票。
【請求項７】
封印シールに記入される送り主付与情報が照合用シートと共に前記伝票にも複写されることを特徴とする請求項６に記載の運送用伝票。
【請求項８】
前記照合用シートは、透光性材料により透視可能に形成され、被運送物を封止する封印シールに重ねることによって送り主付与情報を照合可能とされたことを特徴とする請求項５、６又は７に記載の運送用伝票。
【請求項９】
封印シールを覆うように貼付される透視可能なカバーシールが設けられ、該カバーシールは、被運送物から剥がす際に破壊されることを特徴とする請求項５〜８のいずれかに記載の運送用伝票。
【請求項１０】
被運送物が未開封であることを保証するための封印シールセットであって、
送り主付与情報を記入可能な封印シールと、該封印シールに記入される送り主付与情報を複写される照合用シートとを重ねてなり、前記照合用シートは、透光性材料により透視可能に形成され、被運送物を封止する封印シールに重ねることによって送り主付与情報を照合可能とされたことを特徴とする封印シールセット。
【発明の詳細な説明】
【技術分野】
【０００１】  本発明は、送り主から預かった被運送物を届け先に届けると共に、送り主からの引受時から届け先への引渡時までの間、被運送物が未開封であったことを保証する運送方法及び運送用伝票に関するものである。
【背景技術】
【０００２】  一般に、相手先に荷物を送る際、郵便小包や宅配便などの運送便を利用することが多い。ただ、特に機密書類や貴重品などを送るために運送便を利用するには、送り主の手を離れてから届け先に届くまでの間、被運送物が未開封であったことの保証が求められる。これに対して、被運送物を封印シールで封止することにより、被運送物が未開封であることを確認可能にすることがある（例えば特許文献１）。
【特許文献１】実用新案登録第３１０７４３８号公報
【発明の開示】
【発明が解決しようとする課題】
【０００３】  ところが、被運送物を封印シールで封止したとしても、届け先に届くまでの間に第三者によって開封され、再び別の封印シールで封印された場合、届け先では、その被運送物が開封されたものであるということを認識することができない。【０００４】  本発明は、被運送物を封印シールで封印したままであり、被運送物が未開封であることを保証することができる運送方法及び運送用伝票を提供することを目的とする。
【課題を解決するための手段】
【０００５】  上記目的を達成するため、本発明に係る運送方法は、送り主から預かった被運送物を届け先に届けると共に、送り主からの引受時から届け先への引渡時までの間、被運送物が未開封であったことを保証するものである。具体的には、まず、送り主から被運送物を引き受ける際、送り主が封印シールに送り主付与情報を記入する。送り主付与情報としては、例えば送り主が記入するサインが挙げられる。このサインは、例えば封印シールに重ね合わされた照合用シートに複写される。次いで、被運送物を封印シールで封止して届け先に搬送する。届け先に被運送物を引き渡す際、封印シールに記入された送り主付与情報と照合用シートに複写された送り主付与情報とを照合することにより、送り主によって送り主付与情報を記入された封印シールで被運送物が封止されたままであることを保証する。【０００６】  この構成によれば、封印シールに記入した送り主付与情報と照合用シートに複写した送り主付与情報とを照合するので、封印シールが別の封印シールに差し替えられていないことを確認することができる。【０００７】  ここで、被運送物は、書類を入れた封筒や梱包物のように開封して内容物を取り出すもの、あるいは内部を秘密状態に保つ必要のある装置など、封をするものであればどのようなものでもよい。送り主付与情報は、送り主が記入したサインや文字、記号、図形、イラストなどどのようなものでもよい。さらに、記入とは、スタンプや印鑑、タイプなどで個別情報を付与することを含む概念であるが、再現性のない手書きのものがより好ましい。送り主付与情報の複写は、複写機などを利用することもできるが、カーボン紙などを利用して筆圧によって複写するようにすれば、その複写を簡単にすることができる。【０００８】  送り主付与情報を照合する際、単に封印シールの送り主付与情報と照合用シートの送り主付与情報とを見比べるなどして照合してもよいが、照合用シートを透光性材料により透視可能に構成し、この照合用シートを封印シールに重ねて送り主付与情報を照合するようにすれば、送り主付与情報を簡単かつ正確に照合することができる。【０００９】  一般に運送便では、運送の確認及び管理に、送り主控え票、届け先控え票及び運送管理票を複写可能に重ねてなる伝票を用い、これを被運送物と一緒に運ぶようにしている。その伝票に、封印シール及び照合用シートを重ねて、封印シールに記入する送り主付与情報を照合用シートと共に伝票にも複写しておくことができる。なお、封印シール及び照合用シートは、伝票と一体に形成しておくことができる。【００１０】  照合用シートに複写された送り主付与情報と伝票に複写された送り主付与情報とを照合して、照合用シートが差し替えられていないことを確認するようにすれば、照合用シートを被運送物と一緒に届けることができる。つまり、照合用シートの送り主付与情報と伝票の送り主付与情報とを照合するので、封印シールと共に照合用シートを差し替えたとしても、それを見破ることができる。【００１１】  さらに、送り主控え票は、被運送物と一緒に運ばれることなく送り主が所持しているので、この送り主控え票に複写した送り主付与情報と照合用シートに複写した送り主付与情報とを照合する���とにより、照合用シートが差し替えられていないことをより確実なものとすることができる。送り主控え票及び照合用シートに複写された送り主付与情報を照合する手段としては、送り主控え票又はそのコピーを被運送物とは別に届けたり、送り主控え票の画像の電子データを送信したりする手法を例示することができる。【００１２】  また、伝票には、伝票固有情報が付設されていることが多いので、この伝票固有情報により、伝票を識別するようにしてもよい。この場合、送り主から伝えられた送り主控え票の伝票固有情報と、届け先控え票又は運送管理票の伝票固有情報とを照合するだけで、伝票が差し替えられていないことを確認することができる。これにより、送り主控え票と照合用シートとを直接照合することなく、届け先控え票又は運送管理票に複写された送り主付与情報と照合用シートに複写された送り主付与情報とを照合するだけで、照合用シートが差し替えられていないことをより確実なものとすることができる。【００１３】  ここで、伝票固有情報は、目視可能に印刷されたコード番号の他、光を照射したときにのみ視認できる蛍光塗料で記載された固有情報、ＩＣチップやバーコードなどに記録された固有情報などを含む概念である。この伝票固有情報を送り主から伝達してもらう手段としては、電話やファックス、電子メール、書面を例示することができる。この際、送り主付与情報を伝票固有情報と共に送ることができる。【００１４】  封印シール及び照合用シートの同時の差し替えを防止するため、封印シールで封止した被運送物と照合用シートとを別々にして届け先に届けるようにしてもよい。届け先に照合用シートを届ける手段としては、封筒に入れた照合用シートを別ルートで送る手法を例示することができる。【００１５】  また、本発明は、被運送物が未開封であることを保証するための運送用伝票を提供する。すなわち、本発明は、送り主控え票、届け先控え票及び運送管理票を重ねてなる伝票と、送り主付与情報を付設可能な封印シールと、この封印シールに付設するものと同じ送り主付与情報を付設する照合用シートとを重ねた運送用伝票を提供する。【００１６】  伝票、封印シール及び照合用シートを重ねる順としては、封印シールを最も上に重ねて、封印シールに送り主付与情報を記入し、これを照合用シートに複写可能とするのがよい。また、封印シールに記入する送り主付与情報を照合用シートと共に伝票にも複写することもできる。さらに、照合用シートを透光性材料から透視可能に形成し、被運送物を封止する封印シールに重ねることによって送り主付与情報を照合可能とすることもできる。【００１７】  封印シールは、被運送物から剥がす際にそれ自体が破壊されるものであってもよいが、封印シールを覆うように透視可能なカバーシールを貼付し、被運送物から剥がす際にカバーシールが破壊されるようにしてもよい。透視可能なカバーシールとしては、透光性材料から形成したものや、メッシュ状に形成したものを例示でき、カバーシールを通して封印シールの送り主付与情報を視認することができる。【００１８】  また、封印シール及び照合用シートは、伝票に重ねるものに限らず、封印シールと照合用シートとを重ねて、被運送物が未開封であるこ��を保証するための封印シールセットを構成してもよい。この封印シールセットは、伝票に重ねることによって運送用伝票を構成する。【００１９】  すなわち、本発明は、送り主付与情報を記入可能な封印シールと、この封印シールに記入される送り主付与情報を複写される照合用シートとを重ねてなり、照合用シートは、透光性材料により透視可能に形成され、被運送物を封止する封印シールに重ねることによって送り主付与情報を照合可能とされた封印シールセットを提供する。
【発明の効果】
【００２０】  以上の説明から明らかな通り、本発明によると、封印シールに記入した送り主付与情報と照合用シートに複写した送り主付与情報とを照合するので、封印シールが差し替えられておらず、被運送物が封止されたままであることを保証することができる。これにより、送り主の手を離れてから届け先に届くまでの間、被運送物が未開封であったことの保証が得られるので、機密書類や貴重品などを送るときにも運送便を安心して利用することができる。
【図面の簡単な説明】
【００２１】
【図１】本発明に係る運送用伝票の斜視図
【図２】封印シールで封止した被運送物の斜視図
【図３】本発明に係る運送方法の手順を説明する図
【符号の説明】
【００２２】１    運送用伝票
２    被運送物
３    伝票
３ａ  送り主控え票
３ｂ  届け先控え票
３ｃ  運送管理表
４    封印シールセット
５    サイン
６    封印シール
７    照合用シート
８    カバーシール
９    糊付け部
１０  ミシン目
１１  コード番号
１２  サイン欄
１３  記入欄
１４  カーボン紙
１５  糊付け部
１６  複写セット
１７  粘着層
１８  剥離紙
１９  保持フィルム
【発明を実施するための最良の形態】
【００２３】  以下、本発明に係る運送方法及び運送用伝票の実施の形態について、図面を用いて説明する。【００２４】  まず、運送用伝票について説明する。図１は本発明に係る運送用伝票の斜視図、図２は封印シールで封止した被運送物の斜視図である。【００２５】  この運送用伝票１は、被運送物２が未開封であることを保証するためのであり、運送を確認及び管理するための伝票３と、被運送物２を封止するための封印シールセット４とからなる。その封印シールセット４は、送り主がサイン（送り主付与情報）５を記入して被運送物２を封止する封印シール６と、封印シール６に記入するサイン５を複写される照合用シート７と、封印シール６を覆うように貼付されるカバーシール８とを備えている。【００２６】  伝票３は、送り主控え票３ａ、届け先控え票３ｂ及び運送管理票３ｃを重ねてなる複写式とされ、その一端の糊付け部９を糊付けされると共に、ミシン目１０に沿って各紙票３ａ、３ｂ、３ｃを切り取り可能とされている。各紙票３ａ、３ｂ、３ｃには、共通するコード番号（伝票固有情報）１１が印刷され、このコード番号１１によって個々の運送用伝票１を識別可能とされる。なお、運送管理票３ｃは、物流データ管理用、荷物管理用、受領用などの複数枚の紙票である。【００２７】  伝票３の各紙票３ａ、３ｂ、３ｃには、サイン欄１２が設けられ、その上に封印シール６及び照合用シート７を重ねてサイン５を記入し、封印シール６のサイン５を照合用シート７及び各紙票３ａ、３ｂ、３ｃに複写するようになっている。また、各紙票３ａ、３ｂ、３ｃには、届け先の住所などの必要事項を記入する記入欄１３が設けられ、一枚目の送り主控え票３ａに必要事項を記入して、その記入内容を他の紙票３ｂ、３ｃに複写するようになっている。【００２８】  封印シール６は、その表面にサイン５を記入可能なシールとされ、剥離紙としての照合用シート７の表面側に保持される。照合用シート７は、透光性材料により視認可能に形成された剥離性のあるシートとされ、その裏面側に、封印シール６に記入したサイン５を照合用シート７及び送り主控え票３ａに複写するためのカーボン紙１４が設けられている。【００２９】  照合用シート７とカーボン紙１４とは、その一端の糊付け部１５で糊付けされ、封印シール６と照合用シート７とカーボン紙１４とからなる複写セット１６を構成している。複写セット１６の糊付け部１５の裏面側には、複写セット１６を伝票３に貼り付けるための粘着層１７が設けられ、この粘着層１７が剥離紙１８で覆われている。【００３０】  カバーシール８は、光沢のあるメッシュ状とされ、被運送物２及び封印シール６の表面に転写可能に保持フィルム１９で保持されている。このカバーシール８は、メッシュ状であるため、下層を透視可能であり、封印シール６のサイン５を見ることができる。また、メッシュ状のカバーシール８は、その形状を保ったまま剥がすことができず、被運送物２から剥がす際に確実に破壊されるようになっている。【００３１】  さらに、カバーシール８に光沢があるため、封印シール６及びカバーシール８を切断して開封した後に、その切断部分を透明な別のシールで覆って開封されていないかのように改ざんしようとしても、透明シールによってメッシュ状の光沢が消え、その改ざんを見破ることができる。なお、封印シール６を光沢のあるものとして、メッシュ状のカバーシール８を光沢のないものとしてもよい。【００３２】  次に、上記の運送用伝票を用いて被運送物が未開封であったことを保証する運送方法を説明する。図３は本発明に係る運送方法の手順を説明する図である。【００３３】  まず、（ａ）に示すように、送り主から被運送物２を引き受ける際、複写セット１６から剥離紙１８を剥がして、その粘着層１７を伝票３の糊付け部９に合わせ、伝票３の表面側に複写セット１６を貼り付ける。このとき、複写セット１６の封印シール６が伝票３のサイン欄１２に重なる。なお、伝票３に複写セット１６を組み込んだものを用意しておくこともできる。【００３４】  （ｂ）に示すように、送り主に、複写セット１６の封印シール６にサイン５を記入してもらう。その際の筆圧により、サイン５がカーボン紙１４の表側の照合用シート７と、カーボン紙１４の裏側の送り主控え票３ａのサイン欄１２とに複写され、さらに、サイン５が伝票３の他の紙票３ｂ、３ｃのサイン欄１２にも複写される。また、送り主控え票３ａの記入欄１３に届け先住所などの必要事項を記入してもらうことにより、その記入内容が伝票３の他の紙票３ｂ、３ｃに複写される。伝票３から送り主控え票３ａを切り取って送り主に渡す。【００３５】  （ｃ）に示すように、複写セット１６の照合用シート７から封印シール６を剥がして、この封印シール６で被運送物２を封止する。さらに、封印シール６を覆うようにカバーシール８を保持フィルム１９から転写する。なお、これらの作業は、送り主に依頼することもできる。【００３６】  （ｄ）に示すように、運送用伝票１と被運送物２とを届け先に搬送する。この間に、送り主が電話などを利用して、運送用伝票１のコード番号１１を届け先に伝えたり、送り主控え票３ａを届け先に別送したりすることもできる。【００３７】  （ｅ）に示すように、届け先で、被運送物２を封止する封印シール６に記入されたサイン５の照合と、封印シール６が破壊されていないことの確認を依頼する。封印シール６に記入されたサイン５の照合は、伝票３に複写されたサイン５と照合用シート７に複写されたサイン５とを照合して、照合用シート７が差し替えられていないことを確認した上で、封印シール６に記入されたサイン５と照合用シート７に複写されたサイン５とを照合するようにする。ここで、サイン５の照合は、透光性の照合用シート７を他方のサイン５に重ねて照合する。【００３８】  （ｆ）に示すように、封印シール６又は照合用シート７のサイン５が偽造されたとき、それらのサイン５が互いにずれるので、サイン５の偽造を容易に見破ることができる。照合したサイン５が一致することを確認した後、送り主がサイン５を記入した封印シール６で被運送物２が封止されたままであり、送り主からの引受時から届け先への引渡時までの間、被運送物２が未開封であったことを保証して、届け先に被運送物２を引き渡す。【００３９】  なお、運送用伝票１のコード番号１１が伝えられている場合には、伝えられたコード番号１１と届けられた運送用伝票１のコード番号１１とが一致することを確認し��、伝票３が差し替えられていないことを確認し、被運送物２が未開封であったことをより確実に保証する。また、送り主控え票３ａが別送されている場合には、送り主控え票３ａに複写されたサイン５と照合用シート７に複写されたサイン５を照合して、伝票３が差し替えられていないことを確認し、被運送物２が未開封であったことをより確実に保証する。【００４０】  なお、本発明は、上記の実施の形態に限定されるものではなく、本発明の範囲内において、適宜変更を加えることができる。例えば、照合用シート７を被運送物２と一緒に届ける代わりに、照合用シート７と被運送物２とを別々にして届け先に届けるようにし、照合用シート７の偽造を防止するようにしてもよい。封印シール６をカバーシール８で覆う代わりに、封印シール６にそれ自体が破壊されるシールを採用してもよい。カーボン紙１４の代わりに、顕色剤と染料を収容したマイクロカプセルとの組合せによるノンカーボンタイプの複写手段を採用してもよい。【００４１】  また上記実施形態では、カバーシール８を伝票３に組み込んだ例を示したが、これに限らず、伝票３とは切り離して、例えば、物流業者がカバーシール８を保持するようにし、状況に応じて適宜使用するようにしてもよい。
【産業上の利用可能性】
【００４２】  本発明に係る運送方法及び運送用伝票は、例えば書類や小包の運送に採用することができる。利用者は、書類封筒や小包が未開封であったことの保証が得られるので、機密書類や貴重品などを送るときにも安心して運送サービスを利用することができる。
【図１】
0004022240.tif 000002
【図２】
0004022240.tif 000003
【図３】
0004022240.tif 000004